Podtech/llm-jp-corpus-v4-ja_patent huggingface dataset:
(57)【要約】      （修正有）【課題】機器全体をコンパクトにすることが可能な手持ち式運動機器を提供する。【解決手段】運動機器は、少なくとも１つのローラ１１が取り付けられた筐体１０と、軸２１と共に筐体１０に回動可能に取り付けられ、筐体１０に対して上方の動作位置と折り畳み位置との間で回動するハンドル２０と、を備える。ハンドル２０は、軸２１と共に筐体１０に回動可能に取り付けられた２つの端部２２を有し、筐体１０は、端部２２と係合する２つのシート１４を有する。【選択図】図２
0003207934.tif 000002
【実用新案登録請求の範囲】
【請求項１】
少なくとも１つのローラ（１１）が取り付けられた筐体（１０）と、
軸（２１）と共に前記筐体（１０）に回動可能に取り付けられ、前記筐体（１０）に対して上方の動作位置と折り畳み位置との間で回動するハンドル（２０）と、
を備えることを特徴とする運動機器。
【請求項２】
前記ハンドル（２０）は、前記軸（２１）と共に前記筐体（１０）に回動可能に取り付けられた２つの端部（２２）を有し、
前記筐体（１０）は、前記端部（２２）と係合する２つのシート（１３、１４）を有することを特徴とする請求項１に記載の運動機器。
【請求項３】
前記筐体（１０）は、前記筐体（１０）の上部に形成され、パッド（１７）と係合する凹み（１６）を有することを特徴とする請求項１または請求項２に記載の運動機器。
【考案の詳細な説明】
【技術分野】
【０００１】
本考案は動作位置と折り畳み位置との間で、車輪のある筐体に回動可能に取り付けられたハンドルを有するスライド運動機器に関する。
【背景技術】
【０００２】
通常、車輪のある手持ち式の運動機器は、車輪のある筐体に強固に取り付けられたハンドルを備える。
【考案の概要】
【考案が解決しようとする課題】
【０００３】
しかし、上記ハンドルは、車輪のある筐体に対して折り畳み可能ではなく、大きな体積を含み得る。そのため、機器全体のサイズが大きくなるという問題が生じていた。本考案は、機器全体をコンパクトにするため、動作位置と折り畳み位置との間で、車輪のある筐体に回動可能に取り付けられたハンドルを有する手持ち式運動機器を提供する。
【課題を解決するための手段】
【０００４】
本考案の運動機器は、少なくとも１つのローラ（１１）が取り付けられた筐体（１０）と、軸（２１）と共に筐体（１０）に回動可能に取り付けられ、筐体（１０）に対して上方の動作位置と折り畳み位置との間で回動するハンドル（２０）と、を備える。
【図面の簡単な説明】
【０００５】
【図１】運動機器の斜視図である。
【図２】運動機器の斜視図である。
【図３】運動機器の斜視図である。
【図４】機器の部分的な分解図である。
【図５】機器の部分的な分解図である。
【図６】機器の部分的な分解図である。
【図７】運動機器の動作を例示する斜視図である。
【図８】運動機器の動作を例示する斜視図である。
【図９】運動機器の動作を例示する斜視図である。
【図１０】運動機器の動作を例示する斜視図である。
【図１１】運動機器の動作を例示する斜視図である。
【図１２】運動機器の動作を例示する斜視図である。
【図１３】運動機器の動作を例示する斜視図である。
【図１４】運動機器の動作を例示する斜視図である。
【図１５】運動機器の動作を例示する斜視図である。
【図１６】運動機器の動作を例示する斜視図である。
【考案を実施するための形態】
【０００６】
図１から図５を参照し、本考案の一実施形態である、車輪のある手持ち式のスライド運動機器の構成について説明する。スライド運動機器は、１つ又は複数の（例えば２つの）筐体１０（図６から図１５）を備える。筐体１０は、底部１２に取り付けられた１つ又は複数の（例えば４つの）ローラ１１を有する。さらに、筐体１０は、上方に延伸する膨張部１５を有し、膨張部１５の端部には２つのシート１３、１４が形成されている。さらに、筐体１０の上部には、凹み１６が形成されている（図４）。凹み１６は、パッド１７と係合する。パッド１７は、ユーザ８の手（図７）、肘（図８）、膝（図９）、臀部（図１０）、及び／又は脚（図１１）と係合する１つ又は複数の穴１８又は粗い表面を有する。
【０００７】
筐体１０は、ハンドル２０を有する。ハンドル２０は、筐体１０に軸２１と共に取り付けられ、筐体１０に対して上方の動作位置（図３、図１２から図１５）又はコンパクトな折り畳み位置（図１から図２、図７から図１１）へ回動可能である。ハンドル２０は、２つの端部２２を有する。端部２２は、ユーザ８により把持されるための上方の動作位置にハンドル２０が保持されるように、シート１３、１４と係合可能である。２つの端部２２とシート１３、１４との係合が外れると、ハンドル２０は筐体１０に対して軸２１を中心に水平位置まで回動可能である。折り畳み位置では、ハンドル２０は筐体１０、膨張部１５及びパッド１７と平行となる。パッド１７は膨張部１５及びハンドル２０と係合され得る。
【０００８】
動作時、ハンドル２０は筐体１０に対してユーザ８に把持される上方の動作位置（図１２から図１５）まで回動されるか、又は筐体１０に対して折り畳み位置（図６から図１１）へ折り畳まれ、ユーザ８の手（図７）、肘（図８）、膝（図９）、臀部（図１０）、及び／又は脚（図１１）のようなユーザ８の様々な部位と係合する。ハンドル２０が折り畳み位置に回動されると、運動動作はユーザ８により容易に実行され得る。
【０００９】
１つの筐体１０は雄の係合部材１９（図４から図６）を有し、その他の筐体１０はそれぞれ雄の係合部材１９と係合するための雌の係合部材２４（図１、図３から図６）を有し、２つ以上の筐体１０が共に結合されても良い。
【００１０】
筐体１０に結合される１つ又は複数の弾性ケーブル３０（図５、図１６）を有する形態とし、筐体１０に弾性ケーブル３０による弾性力が作用するように構成しても良い。
【００１１】
上記実施形態によれば、ハンドル２０が筐体１０に対して折り畳み可能であるため、機器全体をコンパクトにすることができる。
本考案は、上述した実施形態に限定されるものではなく、考案の趣旨を逸脱しない範囲で種々の形態で実施可能である。
【符号の説明】
【００１２】
１０・・・筐体
１１・・・ローラ
１５・・・膨張部
１６・・・凹み
１７・・・パッド
２０・・・ハンドル
【図１】
0003207934.tif 000003
【図２】
0003207934.tif 000004
【図３】
0003207934.tif 000005
【図４】
0003207934.tif 000006
【図５】
0003207934.tif 000007
【図６】
0003207934.tif 000008
【図７】
0003207934.tif 000009
【図８】
0003207934.tif 000010
【図９】
0003207934.tif 000011
【図１０】
0003207934.tif 000012
【図１１】
0003207934.tif 000013
【図１２】
0003207934.tif 000014
【図１３】
0003207934.tif 000015
【図１４】
0003207934.tif 000016
【図１５】
0003207934.tif 000017
【図１６】
0003207934.tif 000018
(57)【要約】      （修正有）【課題】湾曲爪補矯正とマニキユア・ペディキュアを兼ねた感覚で違和感なくその両方を同時にやってのけることを可能にする湾曲爪補矯正用具セットを提供する。【解決手段】爪の中央部を横切って覆うに足る帯状弾性板２と、瞬間接着剤３ａ入り塗布用容器３と、硬質表層形成樹脂４ａ入り塗布用容器４とを、主要備品のセットにして湾曲爪の補矯正をするための用具とする。【選択図】図１
0003207973.tif 000002
【実用新案登録請求の範囲】
【請求項１】
爪の中央部を横切って覆うに足る帯状弾性板と、瞬間接着剤入り塗布用容器と、硬質表層形成樹脂入り塗布用容器とを、主要備品としてセットにして成ることを特徴とする湾曲爪補矯正用具セット。
【考案の詳細な説明】
【技術分野】
【０００１】この考案は、ネイルマニキュア、ペディキュアを兼ねるような形で湾曲変形した爪を元に戻すように補矯正するための用具セットに関する。
【背景技術】
【０００２】湾曲爪（巻爪、巻き爪）とは、爪の横端が巻いて内側に巻き込まれた状態等のことであり、その爪の横端部が指先の両横に食い込んで時には炎症を起こし、激しい痛みを伴ったり、靴が履けない、爪が切れないなどの悩みを抱える人も多い。【０００３】その予防対策としては、女性、高齢者、激しい衝撃を受けがちなアスリートなどに多いことから、靴の改善、歩行の習慣、激しい衝撃の機会を減らすことなどが奨励されているが、既になってしまった人は自己処理やケアが困難なため、専門的施術や外科的治療を受けることになる。【０００４】軽度のものであれば、爪を四角くカットするなどの爪切り法、お湯に浸けて爪が柔らかくなったときに米粒程度に丸めた綿の粒を爪の角と肉の隙間に入れて両端を押し上げる操作を繰り返すコットンパッキング法などがある。【０００５】他にテーピングにより皮膚を独特の方法で引っ張って爪から離していくテーピング法、専用のワイヤーを使った外科手術を伴わないＶＨＯ式矯正法やマチワイヤー法など、実技講習を終了したライセンス取得者のみが施術できる巻き爪矯正法もある。【０００６】また爪の表面にプラスチックや金属等のプレートを貼り付けてその引っ張る力で湾曲爪を矯正するプレート法もあるが、これは施術の方法としては負担が少ないものの、矯正力がワイヤーに比べ弱く、プレートが爪から外れてしまう懸念があるものであった。或いはＢＳブレースと称する特殊なプラスチック製の平らなスプリングを爪の表面に装着するＢＳブレース法もある。【０００７】その他、重度対象のものでは、アクリル固定ガター法、フェノール法などがあるが、これらは医療機関が行うものである。さらに、局所麻酔を行って指の肉に食い込んでいる爪の部分を一部切除する医療機関の行う外科手術もある。
【考案の開示】
【考案が解決しようとする課題】
【０００８】このような現状にあって、比較的実施しやすいものとしては先に述べたプレート法がある。しかしながら変形した爪が補矯正されてゆくにはそれ相当の時間の経緯を必要とするものであり、その間、プレートが爪に付着した状態では目障りであるばかりか日常生活に支障を生じることになり、またプレートが爪から剥がれてしまう憂いがあった。【０００９】本考案はかかる問題点を解消して、湾曲爪矯正とネイルマニキユア・ペディキュアを兼ねた感覚で違和感なくその両方を同時にやってのけることを可能にする湾曲爪補矯正用具セットを提供することを課題とする。
【課題を解決するための手段】
【００１０】爪１の中央部を横切って覆うに足る帯状弾性板２と、瞬間接着剤３ａ入り塗布用容器３と、硬質表層形成樹脂４ａ入り塗布用容器４とを、主要備品としてセットにして、本考案の湾曲爪補矯正用具セットとする。【００１１】この帯状弾性板２は、強く湾曲した爪に密着して湾曲でき、かつ長期にわたって復元力を保つような薄くて細長い弾性板であって、例えばヤング率の高い樹脂板や金属板等が該当する。その幅は約３ｍｍ、長さは爪の幅に応じて約１．５〜２．５ｃｍ、厚み約０．２ｍｍ程度である。【００１２】瞬間接着剤３ａというのは、一般的に使われているエチルシアノアクリレイトが該当し、その容器３も一般的に使われているものに準ずるものでよい。【００１３】なお、樹脂板として特殊グレードのポリエチレンやポリプロピレンなどポリオレフィン系プラスチックを用いる場合は接着し難いので、しかるべきプライマーを用いるものとする。要するに湾曲した巻爪に真っすぐな弾性板を強力かつ速やかに貼着させるわけであるから、そのようなプライマーや樹脂の硬化を促進させるアクチベーター、アクセラレーターなどの硬化促進剤を必要に応じ用いる。【００１４】硬質表層形成樹脂４ａとは、帯状弾性板２の貼着した爪１の上から塗布（積層）して硬化後にネイルアートにもなり得るような堅牢で奇麗な表層を形成するものであって、光硬化樹脂のようにできるだけ速やかに硬化するものが好ましいが、必ずしも１種類のみとは限らず、例えば帯状弾性板２の貼着で生じる段差を埋めるリッジフィラー、ネイルアートとしての着色材等装飾材を含むカラーポリッシュ、爪を保護しカラーポリッシュの接着を高め剥がれ難くし、発色を向上させるベースコート、カラーポリッシュに光沢を与え色持ちを良くし、耐久性を向上させる表面仕上げ材としてのトップコート等もこの範疇に含まれる。
【考案の効果】
【００１５】本考案の巻爪矯正用具セットは、湾曲爪の補矯正をするにあたり、使用者は当該用具セットを用いることにより所定の手順に従ってマニキユア同様の要領で苦痛や負担なく補矯正作業を甚だ容易に行うことができ、しかも施術後は目障りで生活行動に支障となるギブス機能部材はそのまま放置しても全く違和感なくネイル装飾を兼ねて過ごすことができるので、生活に支障なく長期間かけて継続的な湾曲爪補矯正をすることができるという効果がある。
【考案を実施するための最良の形態】
【００１６】矯正対象の爪１における帯状弾性板２の貼着箇所表面を予め紙ヤスリなどで荒らし（図２）、そこに幅２ｍｍ、長さ２０ｍｍ、厚さ０．２ｍｍの高弾性プラスチック製帯状弾性板２を塗布用容器３内の瞬間接着剤３ａを塗り、適宜、専用充填剤やプライマー、その他止具やピンセット等補助具を併用して、貼着固定する（図３）。【００１７】帯状弾性板２のエッジ部の段差を埋めて表面を滑らかにする適宜充填材入りリッジフィラー、ナチュラルネイルのコンディションを整える下地剤、ネイルアートの色調を作るカラーポリッシュ、及び表面皮膜強化や美観・耐久性向上のためのトップコート等の硬質表層形成樹脂４ａをその容器４から取り出して塗着し、マニキユア・ペディキュアと湾曲爪補矯正を当該用具セットを使って同時に行う。
【産業上の利用可能性】
【００１８】本考案の湾曲爪補矯正用具セットはニーズが大きく、実施も製造も容易であるから、産業上の利用可能性は十分にある。
【図面の簡単な説明】
【００１９】
【図１】本考案一例の見取図
【図２】湾曲爪状態の指先を示す見取図
【図３】帯状弾性板を貼着した状態を示す見取図
【図４】仕上げ状態を示す見取図
【符号の説明】
【００２０】１……爪  ２……帯状弾性板  ３……瞬間接着剤容器  ４……表層樹脂入り容器
【図１】
0003207973.tif 000003
【図２】
0003207973.tif 000004
【図３】
0003207973.tif 000005
【図４】
0003207973.tif 000006
(57)【要約】      （修正有）【課題】ハンガーラックの上部にショーケースを設けることで、業務用であれば商品・製品等を、家庭用であればコレクション等を展示する事が出来、上部空間を有効利用する事が出来る什器を提供する。【解決手段】ハンガーラック２の上部がショーケース１と一体形状になっている仕様の、ハンガーラック２上部にショーケース機能を持つ。小物類を展示するためのショーケース１を、衣類を吊り下げるための什器であるハンガーラック２上部に結合用の部材を介して後付けする場合、ハンガーラック２とショーケース１は差し込みによって結合される。前記差し込みによる結合は、ハンガーラック２にショーケース１を後付け出来る様に、ハンガーラック２上端の化粧キャップを除去してショーケース１を上から差し込む構造である。【選択図】図１
0003207951.tif 000002
【実用新案登録請求の範囲】
【請求項１】
ショーケースとハンガーラックを組み合わせた事を特徴とする什器。
【請求項２】
衣類を吊り下げるだけの既存ハンガーラックに小物等を展示するショーケースの機能を後付けする請求項１の什器。
【請求項３】
既存ハンガーラックにショーケースを後付けする場合に、ハンガーラック上端の化粧キャップを除去してショーケースを上から差し込むという簡単便利な方式。
【考案の詳細な説明】
【技術分野】
【０００１】  本考案は、ハンガーラックへのショーケースの後付け及び、ショーケース付きハンガーラックに関する。
【背景技術】
【０００２】  従来の業務用ハンガーラックは衣類を吊り下げる事に特化した什器で、その上部空間を有効に利用しているとは言いがたい。
【考案の概要】
【考案が解決しようとする課題】
【０００３】  本考案は、以上のような従来の欠点に鑑み、ハンガーラックの上部空間を有効利用する事が出来るように、ハンガーラックのユーザーに対しては「既存ハンガーラックへのショーケース後付け」を、新規導入の場合は「ショーケース付きハンガーラック」を提供する事を目的としている。
【課題を解決するための手段】
【０００４】  以上の課題を解決するため、既存ハンガーラックに対しては、その上部に差し込む等の施工が容易な構造のショーケースを取り付ける。（図１）  また、新規に製作する場合は最初からショーケースとハンガーラックを一体にした「図１をデザイン面で整えた形」で製作する事で、機能面だけではなくデザイン面でもより良い製品を提供出来る。
【考案の効果】
【０００５】  ハンガーラックの上部にショーケースを設けることで、業務用であれば商品・製品等を、家庭用であればコレクション等を展示する事が出来、上部空間を有効利用する事が出来る。
【図面の簡単な説明】
【０００６】
【図１】既存ハンガーラックへのショーケース取り付けを示す斜視図である。
【図２】中柱に穴加工を施せば、ショーケースがよりしっかりと固定できる。
【考案を実施するための形態】
【０００７】  本考案の一実施形態を図１に示すが、これは衣類を吊り下げる既存のハンガーラックとアルミ枠のガラスケースを組み合わせた例で、ハンガーラックの中柱上端に打ち込まれた「化粧キャップ」を取り外す事の出来る業務用シングルハンガーラックであれば、既存のハンガーラックを買い換える事無く、ショーケースを上から差し込むだけでショーケース機能を追加する事が出来る。
【０００８】  この実施形態によって、視線の高さ付近にショーケースが来て、ショーケースの内部に展示した物が非常に見やすく、なおかつ、衣類の見やすさを損ねる事も殆ど無い。
【符号の説明】
【０００９】１  ショーケース本体
２  ハンガーラック本体
３  ショーケース下部の接合用丸棒
４  ハンガーラック中柱
５  ハンガーラック中柱に穴を新設すれば、６のネジで５の穴から３の丸棒を固定出来る。
６  ハンガーラックに標準装備されている高さ調節用のネジ
【図１】
0003207951.tif 000003
【図２】
0003207951.tif 000004
【手続補正書】
【提出日】平成28年9月23日(2016.9.23)
【手続補正２】
【補正対象書類名】実用新案登録請求の範囲
【補正対象項目名】請求項１
【補正方法】変更
【補正の内容】
【請求項１】
ハンガーラックの上部がショーケースと一体形状になっている仕様の、ハンガーラック上部にショーケース機能を持つ事を特徴とする、什器。
【手続補正３】
【補正対象書類名】実用新案登録請求の範囲
【補正対象項目名】請求項２
【補正方法】変更
【補正の内容】
【請求項２】
小物類を展示するためのショーケースを、衣類を吊り下げるための什器であるハンガーラック上部に結合用の部材を介して後付けする場合、ハンガーラックとショーケースは差し込みによって結合されることを特徴とする、什器。
【手続補正４】
【補正対象書類名】実用新案登録請求の範囲
【補正対象項目名】請求項３
【補正方法】変更
【補正の内容】
【請求項３】
前記差し込みによる結合は、ハンガーラックにショーケースを後付け出来る様に、ハンガーラック上端の化粧キャップを除去してショーケースを上から差し込む構造である、請求項２記載の什器。
(57)【要約】      （修正有）【課題】壁紙を壁に貼った後、空気やシワを逃がすように撫でるのに使用し、指がフィットする握持部の一対の側面部に滑り止めを設け、手の滑りを防止する撫でブラシを提供する。【解決手段】板状で、ほぼ半楕円形のブラシの支持体１に適宜の持ち手穴２を形成し、台部３の長手方向に刷毛部４を設けて、ブラシを植毛している。持ち手穴２の上方には適宜な厚みと指の弧度に適したくぼみ部５を有した握持部６の一対の外側面７に、表面に無数の凹凸形状からなる滑り止め性能を持ち合わした合成樹脂等のゴム状弾性体８を適宜な形状にして外側面７に粘着し，手の滑りを防止している。【選択図】図１
0003207956.tif 000002
【実用新案登録請求の範囲】
【請求項１】
板状で、ほぼ半楕円形のブラシの支持体に適宜の持ち手穴を形成し、支持体より延設した台部の長手方向に刷毛部を設けてブラシを植毛し、持ち手穴の上方には適宜な厚みと指の弧度に適したくぼみ部を有した握持部において、前記握持部の一対の外側面に、表面が無数の細かい凹凸形状を有するゴム状弾性体を適宜な形状にして粘着したことを特徴とする撫でブラシ。
【考案の詳細な説明】
【技術分野】
【０００１】  本考案は、壁紙を壁に貼った後、空気やシワを逃がすように撫でるのに使用するブラシで、ブラシの支持体に指がフィットする握持部に滑り止めを設けた、撫でブラシに関するものである。
【背景技術】
【０００２】  従来の技術としては、撫でブラシの握持部はブラシの支持体の持ち手穴を単に刳り貫いた形状のものや、指が握持部にフィットする様に指の弧度に適したくぼみ部を握持部に形成して、撫でブラシを使用した時、指がくぼみ部にフィットして不安定な振れを防止している。
【先行技術文献】
【０００３】
【特許文献】
【特許文献】  登録実用新案第３１５１８２６号  公報
【考案の概要】
【考案が解決しようとする課題】
【０００４】  従来、撫でブラシの握持部はブラシの支持体の持ち手穴を単に刳り貫いた形状のものでは、指が握持部にフィットしないので、手に安定した力が入らない為に手の滑りが発生していた。また指が握持部にフィットする様に指の弧度に適したくぼみ部を握持部に形成して、指がくぼみ部にフィットして不安定な振れを防止しているが、（登録実用新案第３１５１８２６号  公報）握持部の一対の外側面に指と掌が完全にフィットしていないので、強くブラシを壁に押しあてた時には、握持部の振れや滑りが発生して撫でブラシが正確な動作をすることが困難であった。上記の問題を解決する為に、指及び掌が完全にフィットする握持部の撫でブラシを提供することを目的としたものである。
【課題を解決するための手段】
【０００５】  上記問題を達成するために、本考案は適宜な厚みと指の弧度に適したくぼみ部を有する握持部を持ち手穴の上方に形成した、握持部の一対の外側面に、表面が無数の細かい凹凸形状を有するゴム状弾性体を粘着する。
【考案の効果】
【０００６】  上記のように本考案は、指及び掌が握持部にフィットする様に指の弧度に適したくぼみ部を形成した握持部において、握持部の一対の外側面に、表面が無数の細かい凹凸形状を有するゴム状弾性体を粘着しているので、作業者がブラシを壁に押しあて壁紙の空気やシワを逃がす動作の時、指がくぼみ部にフィットして不安定な振れをふさぐと同時に、握持部の一対の外側面に貼着したゴム状弾性体に指及び掌が完全にフィットして、一層グリップ力が増して撫でブラシが不安定に振れることを防止して、長時間の作業でも正確な作業動作で空気抜き、シワ伸ばしの作業がスムーズに行えるので作業効率も上がる。【０００７】  さらに、ゴム状弾性体の表面には無数の細かい凹凸が形成されているので、滑りを止める効果もある。【０００８】  そして、ゴム状弾性体は合成樹脂等で形成されており、なめらかな手触りであり、弾性機能を有しているので指及び掌にかかる負担がゴム状弾性体に吸収されるので、長時間の作業でも手の負担が軽減される。【０００９】  また、ゴム状弾性体の裏面には貼着材が塗布されているので、所望の位置の容易に粘着できる。例えば、握持部の一対の外側面に留まらず、指及び掌がフィットしにくい握持部に貼着することも出来る。
【図面の簡単な説明】
【００１０】
【図１】  本考案の撫でブラシのゴム状弾性体の正面図である。
【図１】  本考案の撫でブラシのゴム状弾性体の底面図である。
【考案を実施するための形態】
【００１１】  板状で、ほぼ半楕円形のブラシの支持体に適宜の持ち手穴を形成し、台部の長手方向に刷毛部を設けて、ブラシを植毛している。持ち手穴の上方には適宜な厚みと指の弧度に適したくぼみ部を有した握持部には、一対の外側面には、表面が無数の細かい凹凸形状を有するゴム状弾性体を適宜な形状に形成して粘着している。以下、添付図面に従って一実施例を説明する。
【実施例】
【００１２】  図１及び図２は本考案の正面図と底面図である。
１は木製、耐久性のプラスチック等適宜素材で形成したほぼ半楕円形の板状のブラシの支持体である。２はブラシの支持体１に形成された適宜の持ち手穴である。３はブラシの支持体１の台部で、台部３の長手方向に刷毛部４を設けてブラシを植毛している。持ち手穴２の上方には適宜な厚みと指の弧度に適したくぼみ部５を有する握持部６である。握持部６の一対の外側面７には、表面が無数の細かい凹凸形状を有するゴム状弾性体８を粘着しており、前記握持部６とブラシの支持体１とを一体成型している。【００１３】  本考案は以上の構成であるから、握持部６を握った時に、握持部６のくぼみ部５に指がフィットする。さらに握持部６の一対の外側面７には、表面が無数の細かい凹凸形状を有するゴム状弾性体８を貼着しているので、ゴム状弾性体８に指や掌が完全にフィットし、一層グリップ力が増す。また、ゴム状弾性体８の表面の無数の細かい凹凸の形状は滑り止めになっており、指が滑って撫でブラシが不安定に振れることもないので正確に空気抜き、シワ伸ばしの作業がスムーズに行える。
【産業上の利用可能性】
【００１４】  本考案は、撫でブラシを製造する産業で利用される。
【符号の説明】
【００１５】  １  ブラシの支持体
２  持ち手穴
３  台部
４  刷毛部
５  くぼみ部
６  握持部
７  外側面
８  ゴム状弾性体
【図１】
0003207956.tif 000003
【図２】
0003207956.tif 000004
【手続補正書】
【提出日】平成28年10月20日(2016.10.20)
【手続補正１】
【補正対象書類名】明細書
【補正対象項目名】００１０
【補正方法】変更
【補正の内容】
【００１０】
【図１】本考案の撫でブラシのゴム状弾性体の正面図である。
【図２】本考案の撫でブラシのゴム状弾性体の底面図である。
(57)【要約】      （修正有）【課題】刺股であると容易に気づかれないようにする効果を得ることができる箒を提供する。【解決手段】着脱可能な箒２を通常型の刺股１に取り付けて、公衆の場でも違和感のない箒付き刺股を構成する。【選択図】図１
0003207955.tif 000002
【実用新案登録請求の範囲】
【請求項１】
刺股に着脱可能な箒。
【考案の詳細な説明】
【技術分野】
【０００１】本考案は刺股に着脱可能な箒に関する。
【背景技術】
【０００２】本来刺股は武具の一種であり、公衆の目に触れるところでの設置には違和感があった。
【先行技術文献】
【０００３】
【特許文献１】  特願２００４−１７３９６２
【考案の概要】
【考案が解決しようとする課題】
【０００４】公衆の場での設置に対する違和感を解消する。【０００５】刺股の使用目的が犯人確保と明確なため、平常時には人目につかない所へ保管せざるを得なかった。
【課題を解決するための手段】
【０００６】通常型の刺股にきわめて容易に着脱可能な箒を取り付ける。
【考案の効果】
【０００７】前述の違和感が解消されるため、どのような施設内でも比較的自由に複数の場所に設置できる利点をもち、より素早い犯人確保が可能となる。【０００８】また一見箒と見間違えるため犯人の注意を引くこともない。【０００９】この箒を刺股に取り付ける金具は洗濯バサミと似た構造であり着脱が極めて容易である。【００１０】また実際の使用には箒を取り外さずとも、付けたまま使用しても構わない。【００１１】犯人に当たる衝撃でみずから容易に外れる。
【図面の簡単な説明】
【００１２】
【図１】一般の刺股の正面図。
【００１３】
【図２】箒の正面図。
【００１４】
【図３】箒の測面図。
【００１５】
【図４】箒の取り付け具。
【００１６】
【図５】
0003207955.tif 000003
【考案を実施するための形態】
【００１７】以下、本考案の実施の形態を図に基づいて説明する。
【実施例１】
【００１８】
0003207955.tif 000004
【００１９】箒を取り付けた刺股を施設内任意の場所に設置して緊急時には一番最寄りのものを使用する。
【産業上の利用可能性】
【００２０】本考案の刺股に着脱可能な箒は犯人捕縛用の刺股を製造する産業で利用される。
【符号の説明】
【００２１】１  パイプ状の通常型の刺股
２  箒を構成する半円形の木板
３  箒と刺股を繋ぐ金具
４  箒を構成する繊維質の束
５  ビス穴
【図１】
0003207955.tif 000005
【図２】
0003207955.tif 000006
【手続補正書】
【提出日】平成28年10月21日(2016.10.21)
【手続補正２】
【補正対象書類名】明細書
【補正対象項目名】全文
【補正方法】変更
【補正の内容】
【考案の詳細な説明】
【技術分野】
【０００１】本考案は刺股に着脱可能な箒に関する。
【背景技術】
【０００２】本来刺股は武具の一種であり、公衆の目に触れるところでの設置には違和感があった。
【先行技術文献】
【０００３】
【特許文献１】  特願２００４−１７３９６２
【考案の概要】
【考案が解決しようとする課題】
【０００４】公衆の場での設置に対する違和感を解消する。【０００５】刺股の使用目的が犯人確保と明確なため、平常時には人目につかない所へ保管せざるを得なかった。
【課題を解決するための手段】
【０００６】通常型の刺股にきわめて容易に着脱可能な箒を取り付ける。
【考案の効果】
【０００７】前述の違和感が解消されるため、どのような施設内でも比較的自由に複数の場所に設置できる利点をもち、より素早い犯人確保が可能となる。【０００８】また一見箒と見間違えるため犯人の注意を引くこともない。【０００９】この箒を刺股に取り付ける金具は洗濯バサミと似た構造であり着脱が極めて容易である。【００１０】また実際の使用には箒を取り外さずとも、付けたまま使用しても構わない。【００１１】犯人に当たる衝撃でみずから容易に外れる。
【図面の簡単な説明】
【００１２】
【図１】刺股に取り付けた箒の正面図。
【図２】箒を刺股に取り付ける金具の斜視図。
【考案を実施するための形態】
【００１３】以下、本考案の実施の形態を図に基づいて説明する。
【実施例１】
【００１４】図１は、箒を刺股本体のＵ字部分に取り付けた図。【００１５】箒を取り付けた刺股を施設内任意の場所に設置して緊急時には一番最寄りのものを使用する。
【産業上の利用可能性】
【００１６】本考案の刺股に着脱可能な箒は犯人捕縛用の刺股を製造する産業で利用される。
【符号の説明】
【００１７】１  パイプ状の通常型の刺股
２  箒を構成する半円形の木板
３  箒と刺股を繋ぐ金具
４  箒を構成する繊維質の束
５  ビス穴
(57)【要約】      （修正有）【課題】任意の温度にした空気を局所的に正確に任意の場所に導くことができるエアコンを提供する。【解決手段】エアコンの室内機１から出る任意の温度の空気を増設したパイプ２に流し、パイプ２の接続口５に接続した扇風機４に任意の温度になった空気を送り、任意の局所的な場所に送風する。【選択図】図１
0003207954.tif 000002
【実用新案登録請求の範囲】
【請求項１】
エアコンで任意の温度にした空気をパイプを介して、扇風機に導き、前記任意の温度にした空気を局所的に任意の場所に扇風機を介して送風することを特徴とする扇風機を取り付けられるエアコン。
【考案の詳細な説明】
【技術分野】
【０００１】本考案は、エアコンから設定された温度で出てくる空気をパイプで導き、人体等局所的な部分に扇風機等を介して当てるエアコンに関するものである。
【背景技術】
【０００２】従来のエアコンは、設定された温度の空気を部屋全体に放出し、部屋全体の空気を設定した温度にするというものであり、個人の住宅、会社等広く利用されている。
【考案の概要】
【考案が解決しようとする課題】
【０００３】部屋全体を冷やしたり、温めたりしなくても扇風機のように、設定した温度の風を当てたい場所に局所的に当てる。
【課題を解決するための手段】
【０００４】本考案は、エアコンで設定された任意の温度の空気を、室内機の送風口からのみ部屋の中に放出するのではなく、室内機にパイプを取り付けそのパイプの中を通って任意の温度になった空気を噴き出す新たな、扇風機的な送風口を接続させそこから局所的に送風させる。
【考案の効果】
【０００５】熱い外気にさらされて体温が上がった状態の時、急いで体温を下げなければならないが、従来からあるエアコンでは、主に部屋全体に涼しい空気を行き渡らせながら徐々に風を当てていくしかなかった。この考案では、部屋全体の空気を任意の温度にしなくても、ダイレクトに冷やしたい部分に任意の空気を当てることができ効率的である。【０００６】一人暮らしの高齢者の方等には、氷を入れた冷風扇的に弱冷で風とともに体に当てて過ごすこともでき、部屋全体を冷やすよりも経済的である。【０００７】暖房の設定で暖かい空気を温風ヒ−タ−的に使うこともできる。温風ヒ−タ−のように部屋の空気を汚さず、給油の手間もかからない。部屋全体を暖めなくても局所的に使うこともできる。【０００８】除湿器として、洗濯物等の乾燥にも使用できる。
【図面の簡単な説明】
【０００９】
【図１】エアコンの室内機と増設したパイプ及び制御する接続線とパイプに接続された扇風機。
【考案を実施するための形態】
【００１０】エアコンの室内機内の任意の設定温度が出る熱交換機のところに、パイプ受け口を増設し、任意の設定温度の空気が新しく増設したパイプに流れるようにする。前記パイプの先端には接続口があり、その接続口に接続して、任意に設定された空気を局所的に放出する扇風機的な送風口をとりつける。
【実施例】
【００１１】以下添付図に従って、一実施例を説明する。１は、エアコンの室内機であり、２は、エアコンで任意の温度にした空気を送るパイプ、３は、接続した扇風機を制御する接続線であり、４はパイプと接続線を接続した状態の扇風機である。５は、パイプ及び接続線の扇風機への接続口である。６は、作動を制御するリモコンである。
【符号の説明】
【００１２】１エアコンの室内機
２エアコンで作った空気を送るパイプ
３接続線
４エアコンとパイプ及び接続線を介して繋いだ扇風機
５扇風機の接続口
６リモコン
【図１】
0003207954.tif 000003
(57)【要約】      （修正有）【課題】折りたたみ式簡易ベッド及び高さ固定式ベッドの床面からの高さを生理的適応可能な高さに寸法アップして、腰掛け、立ち上がりを容易とする上げ台(架台)を提供する。【解決手段】水平状態の固定形ベッドの下側４箇所に置く上げ台(架台)であり、上げ台の安定性を保持するために、振れ止めガイドＡ〜Ｃやクッション５、６を取り付ける。上げ台の搬送時の重量軽減策として、間隔管、つなぎ棒、締め付け具等の構成部品からなる分割構造とするのが好ましい。【選択図】図１
0003207996.tif 000002
【実用新案登録請求の範囲】
【請求項１】
折りたたみ式簡易ベッド及び高さ固定型ベッドを水平にした状態で使用する、前記ベッドを載せるだけのクッション付き定寸式ベッド上げ台(架台)であり、接触床面４箇所に使用する 同一高さの架台からなるもので、それぞれの上げ 台にはズレ防止のガイドを設け、且つ、クッションをガイド部分及び上げ台(架台) 下側に設ける簡易ベッド及び高さ固定式ベッドの上げ台(架台)。
【請求項２】
それぞれの上げ台(架台)を軽量化するために、つなぎ棒、間隔管、締め付け具等で分割構造とした請求項１記載の簡易ベッド及び高さ固定式ベッドの上げ台（架台)。
【考案の詳細な説明】
【技術分野】
【０００１】
本考案は、折りたたみ式簡易ベッド及び高さ固定式ベッドを使用し、床面からの高     さを生理的適応可能な高さに寸法アップを設定し、上げ台(架台)を作製するもので      取り付け後の安定を保持する構成に関する。
【背景技術】
【０００２】
従来のベッドは上下高さ固定式と手動或いは電動式高さ調整式に大別される本考案は高さ固定式のベッドを使用し、嵩上げして床面よりの高さを生理的合理的、適応可能な高さを設定し、老齢者及び健常者等が使用するに当たり、床部に適切な空間を確保し、床下の塵芥除去に掃除機が入りやすくなり、ベッドサイドテーブル等の挿入が容易になる。
【考案の概要】
【考案が解決しようとする課題】
【０００３】
従来の固定高さのベッドは腰掛け、立ち上がり動作にて老齢者や健常者等にても不便、困窮を感じ、且つ、ベッド下側の掃除や、サイドテーブル等の挿入が出来ない状態である、この不便を解消しようと本考案の装置を考案したもの。
【課題を解決するための手段】
【０００４】
取り付け高さアップ寸法を設定し、老齢者や健常者等の生理的適応性を考慮し、腰掛けや、立ち上がりを容易にし、且つ、床面よりベッド高さを上げる事により、掃除機用スペースやサイドテーブル等の挿入を容易にする為の上げ台(架台)を設け、上げ台にはズレ防止のガイド及びクッションを取り付ける構成品とする。
【考案の効果】
【０００５】
ベッド下側の空間が増し、腰掛け、立ち上がりが容易になり、掃除用のスペースが増し、サイドテーブル等の挿入が可能になる。
【図面の簡単な説明】
【０００６】
【図１】高さ固定式ベッド又は折りたたみ式簡易ベットを上げ台(架台)に載せた全体図。
【図２】上記１の軽量化用として上げ台（架台)を分割した脚部用(上)、頭部用(中)、中央ガイド台(下)の各セット図。
【考案を実施するための形態】
【０００７】
折りたたみ式簡易ベッド４を広げて、水平にし、上げ台１，２，３をベッド脚部側左右及び、ベッド頭部側に、中央ガイド台を真ん中に置き、４箇所に配置し,その上にベッドを載せる。尚、振れ止 めガイドA,B,C，及びクッション５，６の上にベッドがあり、静粛、且つ、安定する。
尚、量産化用として、上げ台(架台)を分割し、架台、間隔管、つなぎ棒、締め付け具等の構成部品とし、軽量化用を計っている。
【実施例】
【０００８】
室内に上げ台付きベッドが置かれると高齢者用及び健常者等にても腰ろしや立ち上がりを容易にし、ベッド下側は掃除機等が入りやすくなり、サイドテーブル等も安易に出し入れする事が出来るようになる。
【０００９】
軽量化の技術を図２に示す。上げ台(架台)を２分割して架台(短)と間隔管、つなぎ棒、締め付け具等に分けて、振れ止めガイド、クッションを取り付けた状態で全体の軽量化をはかり、搬送、取り付けを楽にし、経費の低減を促す。
【産業上の利用可能性】
【００１０】
高さ固定式ベッドは高さ調節式ベッドに比べて安価な経費にて採用する事が出来、廉価にて生理的適応可能なより良い構成品として広く採用されうる。尚、量産体制を考え、架台を分割し、軽量化して、搬送、取り付けを安易にしている。
【符号の説明】
【００１１】
１    ベッド脚部側左右上げ台用架台
２    ベッド頭部側上げ台用架台
３    ベッド中央ガイド用架台
４    高さ固定式ベッド例・・折りたたみ式簡易ベッド
５   上側クッション
６   下側クッション
Ａ    振れ止めガイド
Ｂ    振れ止めガイド
Ｃ     前後振れ止めガイド
７    ベッド脚部側左右上げ台用架台(短)
８    間隔管(短)
９    つなぎ棒
１０    振れ止めガイド
１１    締め付け具
１２    上側クッション
１３    下側クッション
１４    ベッド頭部側上げ台用架台(短)
１５    間隔管(長)
１６    つなぎ棒
１７    振れ止めガイド
１８    上側クッション
１９    下側クッション
２０    中央ガイド部架台(短)
２１    間隔管
２２    つなぎ棒
２３    振れ止めガイド
２４    上側クッション
２５  下側クッション
【図１】
0003207996.tif 000003
【図２】
0003207996.tif 000004
(57)【要約】      （修正有）【課題】取り扱い容易な商談用のカートン用板紙を提供する。【解決手段】上下方向に互いに平行な折り込み線を介して連設する４つの側壁及び糊代と、側壁の上下折り込み線を介して上部に頂部と注出口を有し三角形状の屋根パネルを構成する上部部分と、下部に底部を構成する下部部分とを有する一枚の板紙を、上下の折り込み線に従って２つ折若しくは４つ折にした状態で屋根パネルを構成する部分にバンドを嵌合したことを特徴とする。【選択図】図４
0003207993.tif 000002
【実用新案登録請求の範囲】
【請求項１】
上下方向に互いに平行な折り込み線を介して連設する４つの側壁及び糊代と、前記側壁の上下に折り込み線を介して上部に頂部を有する三角形状の屋根パネルを構成する上部部分と、下部に底部を構成する下部部分とを有する一枚の板紙を、上下の折り込み線に従って２つ折若しくは４つ折にした状態で屋根パネルを構成する部分にバンドを嵌合したことを特徴とする商談用のカートン用板紙
【考案の詳細な説明】
【技術分野】
【０００１】
本考案はジュースや牛乳などの飲料用容器として使用するカートン容器を形成する板紙を、嵩張ること無く運搬効率を向上させた商談用のカートン容器用板紙に関する。
【背景技術】
【０００２】
現在ジュースや牛乳などの飲料用容器としてカートン容器が用いられている。このカートン容器とは、図２に示すように、上下方向に互いに平行な折り込み線を介して連設する正面、背面及び２つの側面及び糊代と、その上部に折り込み線を介して三角形状の屋根パネル及び屋根パネルの峰に該当し、正面と背面とを接合する頂部部分を有する上部部分と、下部に折り込み線を介して底部を構成する底面部分とを有する一枚の板紙を、それぞれの折り込み線に従って折り込み、上部に三角形状の屋根パネル及び頂部部分を、下部に平らな底面を有する角筒状の容器である（図１参照）。
【０００３】
従来、上記の折り込め線に従って組み立てられたカートン容器に飲料を充填して商品として販売しているが、それ以前に、先ず商談用として空のカートン容器が搬送されている。しかし、カートン容器を組み立てた状態で運搬することは甚だ効率が悪い。そこで、組み立て前のカートン板紙を上下の折り込み線に従って、２つ折り若しくは４つ折りの状態で、紐等で結んで流通させることが考えられているが、このカートン用の板紙は厚く２つ折り若しくは４つ折りにした状態でも元の状態に戻ろうとするため嵩張りやすく、取り扱いが不便であった。
本考案者はこのような商談用のカートン用板紙を取り扱い易い状態で流通させるべく種々検討した結果、本考案を完成したもので、本考案の目的は取り扱い容易な商談用のカートン容器用板紙の提供である。
【考案の概要】
【考案が解決しようとする課題】
【０００４】
取り扱いを容易にして運搬効率を向上させた商談用のカートン容器用板紙を提供することを目的とする。
【課題を解決するための手段】
【０００５】
本考案は、上下方向に互いに平行な折り込み線を介して連設する４つの側壁及び糊代と、前記側壁の上下に折り込み線を介して上部に頂部を有する三角形状の屋根パネルを構成する上部部分と、下部に底部を構成する下部部分とを有する一枚の板紙を、上下の折り込み線に従って２つ折若しくは４つ折にした状態で屋根パネルを構成する部分にバンドを嵌合したことを特徴とする商談用のカートン用板紙である。
【考案の効果】
【０００６】
本考案は商談用のカートン容器用板紙の上下の折り込み線に従って折り込み、屋根パネルの峰に相当する頂部部分にバンドを嵌合したので元の状態に戻ることなく確実に２つ折もしくは４つ折としたので、占める空間は小さく且つ、取り扱いが容易で運搬効率を向上させることが出来た。
【図面の簡単な説明】
【０００７】
【図１】飲料用カートン容器の斜視図
【図２】折り込み線を設けた商談用のカートン容器用板紙の平面図
【図３】４つ折りにした商談用のカートン容器の斜視図
【図４】頂部にバンドを嵌合した本考案のカートン容器板紙
【考案を実施するための形態】
【０００８】
本考案で使用する商談用のカートン容器用板紙は通常使用されているカートン容器用の厚紙であって、これに所望の折り込み線を設けたものである。本考案ではこのカートン用板紙の上下の折り込み線に従って、正面、背面及び２つの側面の各側壁を構成する幅が同じである場合にはそれぞれの折り込み線に従って４つ折りに、また、正面及び背面を構成する側壁の幅と側面を構成する側壁の幅が異なる場合は正面と側面、背面と側面との間の折り込み線に従って２つ折りにする。そして、これらの折り込んだ状態で、屋根パネルの上部にある頂部部分にバンドを嵌合する。バンドの材質としてはポリエチレン、ポリプロピレン、ウレタン等のプラスチック若しくはゴム等の弾性体等何れでもよく、その幅としてはカートン容器用板紙を折り畳んだ幅によって適宜に決めればよい。多少の伸縮性を有する方がぴったりと嵌合し、しっかりと２つ折り若しくは４つ折りにすることが出来るので好ましい。
【実施例】
【０００９】
実施例として図面を以て具体的に説明する。
通常流通している飲料用カートン容器は図１に示すような頂部部分を有する屋根パネルと側壁及び底面部分で構成されており、これは図２に示すような折り込み線を設けたカートン容器用板紙を組み立てることによって得られる。即ち、この板紙の上下方向に設けられた折り込み線１２，３４，５６，７８，９１０に沿って折り曲げ、糊代部分を側面Ｃの裏面に接着して断面正方形の角筒体を構成する。次いで、三角形１ａ３，５ｂ７を角筒体の内側に折り曲げ頂部部分を接合して図１に示すカートン容器を構成するのであるが、本考案は前記角筒体を上下の折り込み線、例えば５´´、５´、５、６、６´に従って、２つ折りとし、その後７´´、７´、７、８、８´に沿って４つ折りとする（図３参照）。しかる後、該頂部部分にプラスチック製のバンドを嵌合し、カートン容器の正面部分、背面部分及び２つの側面部分を重合した状態とし、これを飲料メーカーに供給する。（図４参照）
本考案はこのように従来の流通状態に比して非常にコンパクトにすることが出来、従って、流通効率を向上することができる。
【符号の説明】
【００１０】
１，３，５，７，９      側壁と上部分との交点
２，４，６，８，１０    側壁と底面との交点
１′、３′、５′、７′、９′  屋根パネルと頂部部分との交点
１′′、３′′、５′′、７′′、９′′  カートン用板紙の上辺
２′，４′，６′，８′，１０′  カートン用板紙の下辺
ａ，ｂ      屋根パネルと頂部部分との交点
【産業上の利用可能性】
【００１１】
本考案は飲料用カートン容器に飲料を充填する前の商談用のカートン容器用板紙をコンパクトにすることができたので、その流通効率を向上させることが出来、産業上の利用可能性は大である。
【図１】
0003207993.tif 000003
【図２】
0003207993.tif 000004
【図３】
0003207993.tif 000005
【図４】
0003207993.tif 000006
(57)【要約】      （修正有）【課題】断水で使用できない既存水洗トイレで、子供、老人、病人等が安全に排泄することができる、水洗トイレ補助具、紙枠便座付ポリ袋トイレを提供する。【解決手段】ドーナツ形紙枠１便座の中央孔に、ポリ袋２を挿通して、更に挿入したポリ袋２の上部折り曲げしろ３を、紙枠便座全体に巻き付ける方法で、紙枠便座を固定した新しい紙枠便座付ポリ袋トイレが形成できた。実験で断水した水洗トイレ便座の上に更に紙枠便座付ポリ袋トイレを上乗せして排泄行った結果、通常の水洗トイレ使用と全く同じ状態で、安全に排泄することが出来たものである。しかも使用済みポリ袋トイレは、密封にして、可燃ゴミに問題なく廃棄することができたものである。【選択図】図１
0003207903.tif 000002
【実用新案登録請求の範囲】
【請求項１】
ドーナツ形紙枠(１)の中央孔にポリ袋トイレ(２)を挿通して、挿通したポリ袋トイレ上部の  折り曲げしろ  (３)を、ドーナツ形紙枠全体に巻き付ける方法で  紙枠便座付ポリ袋トイレ  (４)を形成して  ポリ袋トイレ下部  (５)を下にぶら下げた袋の底に水溶紙包装凝固剤  (６)を投入して構成された  紙枠便座付ポリ袋トイレであって、断水時に、洋式水洗トイレ  (７)を使用する場合、水洗トイレ固定便座  (８)の上へ更に紙枠便座付ポリ袋トイレを  (４)を上乗せして排泄行い、排泄終了後、紙枠便座付ポリ袋(４)を水洗トイレ便器から抜き出して折りたたみ更に  排泄物収納ポリ袋  (９)内に投入した後  排泄物収納ポリ袋付チャック  (１０)を閉じて排泄物を密封にした上で可燃ゴミに廃棄することを特徴とした断水用、紙枠便座付ポリ袋トイレ。
【考案の詳細な説明】
【技術分野】
【０００１】
災害発生時、停電、断水等で洋式水洗トイレが使用できないため、代用簡易トイレ、携帯用トイレ等が開発され、すでに市販されているが、しかし高齢化社会になって、簡易トイレ、携帯トイレが安全に使用できない高齢者、病人達が大勢いるものである。本考案は、災害で断水した既存洋式水洗トイレを全く水なしで安全に、しかも衛生的に使用できる。新しい紙枠便座付ポリ袋トイレの開発を行ったものである。
【背景技術】
【０００２】
災害時に使用される水洗トイレ代用のポータブルトイレ、携帯トイレ等は誰でも容易に使用できるが、欠陥はトイレ消耗品が高価であり、又使用済みトイレの廃棄方法が至って困難である。災害断水の場合、水道が普及するまでに数週間はかかることからその間に使用される携帯トイレの消耗経費が実に高価につくことが指定されている。
【先行技術文献】
【特許文献】
【０００３】
【特許文献１】特開２０１１−１３９７４７  発明の名称  携帯用トイレ又は尿取りパット
【特許文献２】特開２０１０−２８４２７７２  発明の名称  携帯用トイレ
【特許文献３】公開実用新案公報  昭６２−１３４４９６  片手持ち形携帯トイレ
【考案の概要】
【考案が解決しようとする課題】
【０００４】
災害、停電、その他の影響で断水が生じた場合、既存洋式水洗トイレが長期間使用できないことが課題となっているが、本考案は災害発生で突然断水しても、既存の洋式水洗トイレが、そのままの状態で簡単に、しかも衛生的に排泄できる、安全で安価な、新しい紙枠便座付ポリ袋トイレの開発を行ったものである。
【課題を解決するための手段】
【０００５】
通常の水洗トイレ便器には必ず開閉自在の便座が付いている、その便座の上から、更に紙枠便座付ポリ袋トイレを上乗せして排泄行う方法である。実験の結果、便座の上に装着した紙枠便座付ポリ袋トイレの上に人が座して排泄しても何ら問題なく排泄できることが確認できた。排泄終了後、排泄物の入ったポリ袋を取り出して小さく折りたたみ、添付チャック付ポリ袋の中に収納すれば、凝固剤が入っているため、尿液は固形化して、固形物となるため、一般可燃ごみに廃棄することができたものである。
【考案の効果】
【０００６】
神戸淡路大震災を始めその後、東北中越新潟地震、熊本地方地震が発生して、地震は頻繁に日本全国で発生している。地震発生で避難民が一番困ることは停電、断水によって起きる既存水洗トイレが全て使用できなくなることである。特に都会の高層団地に住む避難民の場合、昼夜トイレに困る超高齢者、病人、身体障害者等が大勢いるものである。排泄する場所の無いことが大きな課題となっているが、本考案の紙枠便座付ポリ袋トイレを各家庭に大量備蓄しておけば、災害地に仮設トイレの設置ができるまでの間、避難民はトイレの心配をする必要がなくなるものである。
【図面の簡単な説明】
【０００７】
【図１】紙枠便座中央孔にポリ袋トイレ挿通の図
【図２】紙枠便座付ポリ袋トイレ側面の図
【図３】洋式水洗便器の図
【図４】排泄物収納ポリ袋トイレの図
【考案を実施するための形態】
【０００８】
ドーナツ形紙枠  (１)の中央孔に  ポリ袋トイレ  (２)を挿通して、挿通したポリ袋トイレ上部の  折り曲げしろ  (３)を、ドーナツ形紙枠全体に巻き付ける方法で  紙枠便座付ポリ袋トイレ  (４)を形成して  ポリ袋トイレ下部  (５)を下にぶら下げた袋の底に  水溶紙包装凝固剤  (６)を投入して構成された  紙枠便座付ポリ袋トイレであって、
断水時に  洋式水洗トイレ  (７)を使用する場合、水洗トイレ固定便座  (８)の上へ更
に  紙枠便座付ポリ袋トイレを  (４)を上乗せして排泄行い、排泄終了後、紙枠便座付
ポリ袋  (４)を水洗トイレ便器から抜き出して折りたたみ更に  排泄物収納ポリ袋  (９)
内に投入した後  排泄物収納ポリ袋付チャック  (１０)を閉じて排泄物を密封にした上
で可燃ゴミに廃棄することを特徴とした断水用、紙枠便座付ポリ袋トイレ。
【実施例】
【０００９】
試作品、紙枠便座付ポリ袋トイレを数人の知人に渡して排泄実施をお願いした結果何の問題もなく容易に大小排泄ができた旨の回答が得られた。又チャック付密封ポリ袋に収納した排泄物の廃棄についても、介護患者の使用済み紙おむつ廃棄と同等の扱いで一般可燃物ゴミに問題なく廃棄することができた報告を受けたものである。
【産業上の利用可能性】
【００１０】
災害時の突然断水に対応できる、断水用水洗トイレ補助トイレとして使用できることから、用途は広く、病院、介護施設、障害者施設等に大量備蓄されることが予想されるものである。又災害発生時、地方薬局、ドラッグストアー、コンビニ等で購入が可能であれば、一般家庭の避難民が容易に入手できるため、紙枠便座付ポリ袋トイレの需要範囲は大きく、産業上の利用可能性は十分にあることが考えられる。
【符号の説明】
【００１１】
１    ドーナツ形紙枠
２    ポリ袋トイレ
３    折り曲げしろ
４    紙枠便座付ポリ袋トイレ
５    ポリ袋トイレ下部
６    水溶紙包装凝固剤
７    洋式水洗トイレ
８    水洗トイレ固定便座
９    排泄物収納ポリ袋
１０  排泄物収納ポリ袋付チャック
【図１】
0003207903.tif 000003
【図２】
0003207903.tif 000004
【図３】
0003207903.tif 000005
【図４】
0003207903.tif 000006